(57)【特許請求の範囲】
【請求項１】
ケーシング(C)内に、表面にそれぞれ人工芝(10)を貼設した第１の研磨板と、第２の研磨板と、第３の研磨板とを上方から順次配設して、ケーシング(C)を低周波振動装置(7)で振動させることにより、各研磨板上に搬送したメダル(2)を研磨するとともに搬送するメダルの研磨装置であって、
第１の研磨板には中途にメダル(2)を表裏反転させる一定の高さを有する段差部(13)を設け、ケーシング(C)内に傾斜状態で配設することにより、第１の研磨板上を下方へと滑らせながらメダル(2)を移動させてメダル(2)の表裏を研磨するようにし、
第１の研磨板の下方に設けた第２の研磨板には中途にメダル(2)を表裏反転させる一定の高さを有する段差部(13)を設け、ケーシング(C)内に傾斜状態で配設することにより、第２の研磨板上を下方へと滑らせながらメダル(2)を移動させてメダル(2)の表裏を研磨するようにし、
第２の研磨板の下方に設けた第３の研磨板には中途にメダル(2)を表裏反転させる２つの一定の高さを有する段差部(13)を設け、ケーシング(C)内に傾斜状態で配設することにより、第３の研磨板上を下方へと滑らせながらメダル(2)を移動させてメダル(2)の表裏を研磨するようにし、
しかも、第１の研磨板の始端の上方にはメダル(2)の投入口(C1)を位置させて第１の研磨板にメダル(2)を落下させ、第１の研磨板に落下したメダル(2)を第１の研磨板の終端に移動させ、
第１の研磨板の終端に移動したメダル(2)を第１の研磨板の下方に研磨板間連絡用の段差部(12)を設けながら位置させた第２の研磨板の始端に落下させ、第２の研磨板に落下したメダル(2)を第２の研磨板の終端に移動させ、
第２の研磨板の終端に移動したメダル(2)を第２の研磨板の下方に研磨板間連絡用の段差部(12)を設けながら位置させた第３の研磨板の始端に落下させ、第３の研磨板に落下したメダル(2)を第３の研磨板の終端に移動させ、
第３の研磨板の終端部分に設けた排出口(C2)から研磨したメダル(2)を排出するとともに、排出口(C2)に臨む面に布(15)を貼設し、メダル(2)の表面に付着している研磨カスを同布(15)により拭い取るべく構成し、
さらに、第１の研磨板には一定の間隔をあけて底板(16)を設けて第１の研磨板と底板(16)との間の空間にかす溜まり部(9)を形成し、第１の研磨板にはカス落とし孔(17)を設けるとともに底板(16)にも吸引孔(18)を設け、同吸引孔(18)に臨ませて吸引装置(8)を連結することによりかすや塵を吸引排出すべく構成し、
第２の研磨板には一定の間隔をあけて底板(16)を設けて第２の研磨板と底板(16)との間の空間にかす溜まり部(9)を形成し、第２の研磨板にはカス落とし孔(17)を設けるとともに底板(16)にも吸引孔(18)を設け、同吸引孔(18)に臨ませて吸引装置(8)を連結することによりかすや塵を吸引排出すべく構成したメダルの研磨装置。
【発明の詳細な説明】
【０００１】
【産業上の利用分野】
本発明は、遊戯場等に設置されるスロットマシン等のメダルの研磨装置に関するものである。
【０００２】
【従来の技術】
一般に、遊戯場等に設置されるスロットマシン等に使用するメダルは、各マシンからコンベヤ装置等を介して一個所に集められ、同所に設置した研磨装置により研磨されて再びコンベヤ装置等を介して各スロットマシンに供給されるようになっている。
【０００３】
従来の研磨装置の一形態として、合成樹脂製のペレット状の研磨材を用いたものがあり、これは、かかる多数の研磨材を有する装置内にメダルを投入し、両者を移送しながら研磨材とメダルとの接触によりメダルの表裏面を研磨する構成としている。
【０００４】
そして、移送途中に配設したメッシュ部材から研磨材を篩い落とし、メダルのみを回収して各スロットマシンに供給するようにしている。
【０００５】
【発明が解決しようとする課題】
ところが、上記した従来のメダル研磨装置は、研磨材自体がすぐに汚れてしまい、研磨能力（清掃能力）が悪くなり、毎日のように研磨材自体を洗浄しなければならず余分な手間と労力を必要とし、しかも、かかる研磨材はペレット状なので特殊な洗浄機が必要となる。
【０００６】
また、研磨材を完全に回収することが難しく、篩い落とされなかった研磨材がスロットマシン中にメダルとともに入り込んでしまうことがあり、スロットマシンの作動トラブルの原因ともなっていた。
【０００７】
さらに、多数の研磨材と多数のメダルとが互いに接触するために、大きな騒音が発生するので、遊戯場としてはこれに代わる研磨装置を望んでいるのが現状である。
【０００８】
本発明は、上記課題を解決することのできるメダル等の研磨装置を提供することを目的としている。
【０００９】
【課題を解決するための手段】
本発明は、ケーシング内に、表面にそれぞれ人工芝を貼設した第１の研磨板と、第２の研磨板と、第３の研磨板とを上方から順次配設して、ケーシングを低周波振動装置で振動させることにより、各研磨板上に搬送したメダルを研磨するとともに搬送するメダルの研磨装置であって、第１の研磨板には中途にメダルを表裏反転させる一定の高さを有する段差部を設け、ケーシング内に傾斜状態で配設することにより、第１の研磨板上を下方へと滑らせながらメダルを移動させてメダルの表裏を研磨するようにし、第１の研磨板の下方に設けた第２の研磨板には中途にメダルを表裏反転させる一定の高さを有する段差部を設け、ケーシング内に傾斜状態で配設することにより、第２の研磨板上を下方へと滑らせながらメダルを移動させてメダルの表裏を研磨するようにし、第２の研磨板の下方に設けた第３の研磨板には中途にメダルを表裏反転させる２つの一定の高さを有する段差部を設け、ケーシング内に傾斜状態で配設することにより、第３の研磨板上を下方へと滑らせながらメダルを移動させてメダルの表裏を研磨するようにし、しかも、第１の研磨板の始端の上方にはメダルの投入口を位置させて第１の研磨板にメダルを落下させ、第１の研磨板に落下したメダルを第１の研磨板の終端に移動させ、第１の研磨板の終端に移動したメダルを第１の研磨板の下方に研磨板間連絡用の段差部を設けながら位置させた第２の研磨板の始端に落下させ、第２の研磨板に落下したメダルを第２の研磨板の終端に移動させ、第２の研磨板の終端に移動したメダルを第２の研磨板の下方に研磨板間連絡用の段差部を設けながら位置させた第３の研磨板の始端に落下させ、第３の研磨板に落下したメダルを第３の研磨板の終端に移動させ、第３の研磨板の終端部分に設けた排出口から研磨したメダルを排出するとともに、排出口に臨む面に布を貼設し、メダルの表面に付着している研磨カスを同布により拭い取るべく構成し、さらに、第１の研磨板には一定の間隔をあけて底板を設けて第１の研磨板と底板との間の空間にかす溜まり部を形成し、第１の研磨板にはカス落とし孔を設けるとともに底板にも吸引孔を設け、同吸引孔に臨ませて吸引装置を連結することによりかすや塵を吸引排出すべく構成し、第２の研磨板には一定の間隔をあけて底板を設けて第２の研磨板と底板との間の空間にかす溜まり部を形成し、第２の研磨板にはカス落とし孔を設けるとともに底板にも吸引孔を設け、同吸引孔に臨ませて吸引装置を連結することによりかすや塵を吸引排出すべく構成したメダル等の研磨装置に係るものである。
【００１５】
【作用】
本発明では、人工芝等からなる表面に植毛した研磨手段をケーシング内に傾斜状態に配設し、同ケーシング内に搬送されて収容されるメダル等の被研磨体を、研磨手段の上側始端部から下側終端部にかけて移動させながら前記植毛により研磨するようにしている。
【００１６】
このときに、研磨手段の中途に一定の高さを有する段差部を設け、同段差部において被研磨体を表裏反転させるようにしている。
【００１７】
段差部は、研磨手段を構成する複数の研磨板自体にも設けることができるとともに、各研磨板の連絡個所に設けることができ、メダルの表裏を万遍なく研磨浄化できる。
【００１８】
また、複数の研磨板を、ケーシング内に上方から順次傾斜状態で、かつ、ジグザグ状に配設して研磨装置全体をコンパクトにしながら、かつ、メダルと研磨板との接触距離を十分に確保できるようにしている。
【００１９】
さらに、ケーシングに低周波振動装置を連動連結して、ケーシングと一体的に研磨手段を振動させ、研磨手段が傾斜状態で配設されていることとあいまって、円滑に下方へ移送させることができるとともに、植毛によるブラッシング効果を高めている。
【００２０】
これにより、十分なメダル研磨が行えるとともに、研磨に要する労力を大幅に削減し、また、研磨時の騒音を可及的に防止することができる。
【００２１】
また、研磨手段を、表面に植毛した複数の研磨板で構成し、同研磨板をケーシング内に上方から順次傾斜状態で螺旋状に配設するとともに、各上手側の研磨板の終端と下手側の研磨板の始端との間にそれぞれ段差部を設け、同段差部において被研磨体を表裏反転可能とし、さらに、前記ケーシングの中央部にモータを設け、同モータの回転運動に連動して研磨板を水平回転させるようにして、その遠心力によりメダルを下方へ円滑に移送させてもよい。
【００２２】
さらに、メダルを自由落下させたり、あるいは、研磨手段の上方に、一定の間隔をあけて被研磨体を掻き落とす掻き落とし手段を配設して強制的に下方へ移送させてもよい。
【００２３】
【実施例】
以下、本発明の実施例を添付図に基づいて具体的に説明する。本発明に係るメダル等の研磨装置は、被研磨体がメダルやコイン等のように偏平状のものであれば何にでも適用可能であるが、本実施例では、被研磨体を遊戯場に設置されるスロットマシン等に使用するメダルとして説明する。
【００２４】
（第一実施例）
図１において、Ａは遊戯場において複数のスロットマシンＳを並設した、通常島と呼ばれる列であり、同島Ａの一側に、本発明に係るメダル等の研磨装置１を配設している。Ｂは研磨装置１を収納しているボックスである。
【００２５】
各スロットマシンＳから排出されるメダル２は、回収用コンベヤ装置３により研磨装置１に搬送され、研磨清浄化された後、垂直リフト４により島Ａの天井部に配設した補給用コンベヤ装置５に受け渡され、搬送されながら各スロットマシンＳに補給されるべく循環しており、このように、本実施例では、島Ａ単位でメダル２の回収、研磨、補給を行うようにしている。６は回収用コンベヤ装置３と研磨装置１との間に配設した傾斜リフトである。
【００２６】
以下、本発明の要旨となる研磨装置１の構成について詳述する。
【００２７】
本発明に係る研磨装置１は、表面に植毛した研磨手段をケーシングＣ内に傾斜状態に配設し、被研磨体となるメダル２等を研磨手段の上側始端部から下側終端部にかけて移動させながら前記植毛により研磨可能とし、かつ、研磨手段の中途に一定の高さを有する段差部１２，１３  を設け、同段差部１２，１３  においてメダル２を表裏反転可能に構成している。
【００２８】
本実施例では、図１及び図２に示すように、上記研磨手段を、表面に人工芝１０を貼設した第一〜第三の三つの研磨板１１で構成し、かかる研磨板１１を収納したケーシングＣを基台Ｄを介して設置している。なお、Ｃ１はメダル２の投入口、Ｃ２はメダル２の排出口、Ｆは床面、Ｄ１は同床面Ｆに立設し、前記基台Ｄを支持する脚部である。
【００２９】
そして、上記第一〜第三の研磨板１１をケーシングＣ内に上方から順次傾斜状態で、かつ、ジグザグ状に配設し、各上手側の研磨板１１の終端１１ａ  と下手側の研磨板１１の始端１１ｂ  との間にそれぞれ研磨板間連絡用の段差部１２を設けるとともに、各研磨板１１自体の中途にも段差部１３を設け、かかる段差部１２，１３  においてメダル２を表裏反転可能としている。
【００３０】
研磨板１１のケーシングＣへの取付けは、図３に示すように、ケーシングＣの左右（メダル２の搬送方向に対して）側壁内面に係合具１４を設け、同係合具１４に、鉤状に形成した研磨板１１の左右端縁を係合させるようにしており、着脱自在な構成となっている。
【００３１】
ところで、第三の研磨板１１の排出口Ｃ２に臨む面には、布１５を貼設している。これは、メダル２の表面に付着している研磨カス等が同布１５により拭い取られるようにするとともに、同布１５の汚れの程度によって、研磨板１１の清掃時期を判断できるようにするためである。
【００３２】
さらに、前記ケーシングＣの底壁Ｃ３裏側に低周波振動モータからなる低周波振動装置７を配設し、ゴム製の支持材２０を介してケーシングＣに連動連結している。２１はケーシングＣの底壁Ｃ３の端縁に設けた縁ゴムであり、低周波振動装置７による振動によってケーシングＣと基台Ｄとがぶつかったときの緩衝機能を果たすものである。
【００３３】
なお、図２において、４１は垂直リフト４から供給用コンベヤ装置５にメダル２を受け渡す水平リフト、４２は垂直リフト４の駆動用モータ、４３は垂直リフト４と駆動用モータ４２との間を連動連結するベルト、４４は駆動プーリ、４５は従動プーリである。
【００３４】
かかる構成により、回収用コンベヤ装置３から回収搬送されたメダル２は、ケーシングＣの投入口Ｃ１から最上部に配設された第一の研磨板１１に落下し、同研磨板１１の勾配と、低周波振動装置７に駆動による研磨板１１の振動とにより、円滑に下方へと滑りながら移動していく。
【００３５】
この際に、図４に示すように、研磨板１１の表面に貼設した人工芝１０がブラッシング作用でメダル２との接触面が研磨され、さらに、同研磨板１１の中途に設けた段差部１３により、メダル２は表裏反転して研磨面が入れ替わることになる。
【００３６】
また、第一の研磨板１１の終端１１ａ  と、第二の研磨板１１との間にも段差部１２が設けられているので、かかる段差部１２もおいて再度研磨面が反転する。かかる動作が繰り返されて、メダル２は表裏ともに確実に研磨清浄化されてケーシングＣの排出口Ｃ２より垂直リフト４へ受け継がれる。
【００３７】
こうして、研磨清浄化されたメダル２は、スロットマシンＳへと還元され、遊戯者は常に磨かれたメダル２を手にすることができる。
【００３８】
しかも、本実施例では、研磨板１１に貼設した人工芝１０を、図２に示すように、垂直リフト４及び水平リフト４１にも貼設しており、メダル２の搬送時にメダル２と各リフト４，４１との接触により生ずる音を可及的に小さくして騒音の発生を防止し、静粛性を確保している。
【００３９】
本発明に係る研磨装置１は、上記した簡単な構成によって十分な研磨清浄化機能を有するものであり、かつ、低コストで設置が可能となっている。
【００４０】
そして、排出口Ｃ２に臨む研磨板１１には布１５を貼付して研磨板１１自体の清掃時期等も容易に判断できるものであるが、かかる清掃等のメンテナンスの回数をより減少させるように、本実施例に係る研磨装置１は、研磨板１１の下部に吸引装置８を連設している。
【００４１】
すなわち、図４及び図５に示すように、第一、第二の研磨板１１に一定の間隔をあけて底板１６を連設し、研磨板１１と底板１６との間の空間にかす溜まり部９を形成し、そして、研磨板１１及び同研磨板１１に貼設した人工芝１０を貫通させて多数のカス落とし孔１７を設けるとともに、底板１６にも多数の吸引孔１８を設けている。なお、第三の研磨板１１も同様な構成として吸引装置８を連設してもよい。
【００４２】
かかる吸引孔１８に臨むように吸引装置８の先端連結部８１を取付け、図示しないブロワにより強制的にかす溜まり部９内のかすや塵を吸引排出することができ、さらに、かす落とし孔１７を介して人工芝１０上のかすや塵を吸引排出することができる。
【００４３】
かかる構成によって研磨板１１の清掃時期の間隔を長くすることができ、労力削減を図ることができる。
【００４４】
（第二実施例）
次に、第二実施例として図６及び図７に示すものを説明する。
【００４５】
これは、研磨板１１をケーシングＣ内に上方から順次傾斜状態で螺旋状に配設するとともに、ケーシングＣの中央部にモータＭを設け、同モータＭの回転運動に連動して研磨板１１を水平回転させるように構成した点が第一実施例と異なっており、研磨板１１の水平回転による遠心力でメダル２を円滑に降下させるようにしている。
【００４６】
すなわち、ケーシングＣを長円形状に形成し、同ケーシングＣの内周壁に沿って複数の研磨板１１を、上方から順次傾斜状態で螺旋状に配設するとともに、ケーシングＣの底壁Ｃ３の中央に長孔２３を形成し、同長孔２３の内周にラック２４を形成し、同ラック２４にモータＭの駆動軸Ｍ１の先端に取付けたピニオン２５を噛合させている。
【００４７】
ケーシングＣは、図７に示すように、基台Ｄに例えばゴム製の弾性体２６を介して吊支されており、モータＭの駆動により、ケーシングＣは水平回転を行う。
【００４８】
また、ケーシングＣの側壁の下部で、基台Ｄと上端部に対応する位置にゴム製の緩衝材２７を取付けており、ケーシングＣの回転時に基台Ｄと当接する衝撃でメダル２の重なりを解消させ、各メダル２が一様に研磨されるようにしている。
【００４９】
（第三実施例）
次に、図８に示すものを説明する。
【００５０】
これは、メダル２を研磨板１１の勾配のみで自由降下させるようにしたもので、研磨板１１の勾配を最適なものに変更できるように、研磨板１１の両側縁から下方に耳部３１を連設し、同耳部３１に円弧状の長孔３２を設け、同長孔３２の長さの範囲で勾配を変更可能とし、ボルト３３等でケーシングＣに固定するようにしている。
【００５１】
また、研磨板１１の終端１１ａ  をやや上方へ反らせて反り返り部１１ｃ  を形成し、同反り返り部１１ｃ  から落下する際にメダル２が確実に反転するようにしている。
【００５２】
さらに、図９に示すように、各研磨板１１には仕切壁３４を立設して研磨板１１を区画し、ケーシングＣの投入口Ｃ１から落下するメダル２が一所に集中して重なり合ったりしないようにしている。本実施例では、仕切壁３４を上方の第一、第二の研磨板１１にのみ配設している。
【００５３】
かかる構成により、より低コストで騒音の発生のおそれのない研磨装置１を提供することができる。
【００５４】
（第四実施例）
これは、第三実施例で示した研磨装置１において、各研磨板１１の上方に、一定の間隔をあけてメダル２を掻き落とす掻き落とし手段Ｅを配設したことに特徴がある。
【００５５】
図１０に示すように、掻き落とし手段Ｅは、別途配設した回転モータＧによりメダル２を掻き出す方向に回転可能としたローラ３５に、その周面に複数の掻き出し翼３６を突設して構成している。３７は駆動ベルト、３８はプーリである。
【００５６】
なお、かかる掻き落とし手段Ｅのローラ３５は、交互に回転方向を異ならせるために、回転方向毎に２台の回転モータＧを配設し、各駆動軸Ｇ１にそれぞれ各ローラ３５に対応するプーリ３８を取付けて駆動ベルト３７を巻回している。また、回転モータＧを１台として、その駆動軸Ｇ１に必要数のプーリ３８を取付け、反転させるローラ３５と同ローラ３５に対応するプーリ３８間には駆動ベルト３７をたすき掛けにしてもよい。
【００５９】
【発明の効果】
本発明によれば、メダルの表裏を確実に、かつ、静かに研磨することができるメダルの研磨装置を低コストで提供することができる。
【図面の簡単な説明】
【図１】本発明に係る研磨装置の配設状態を示す説明図である。
【図２】同研磨装置の説明図である。
【図３】同研磨装置の研磨手段の取付状態を示す説明図である。
【図４】吸引装置の説明図である。
【図５】研磨手段の平面図である。
【図６】第二実施例に係る研磨装置の平面視による説明図である。
【図７】同側面視による説明図である。
【図８】第三実施例に係る研磨装置の説明図である。
【図９】図８のＩ−Ｉ線における断面図である。
【図１０】第四実施例に係る研磨装置の説明図である。
【符号の説明】
Ｃ    ケーシング
Ｍ    モータ
１  研磨装置
２    メダル
７    低周波振動装置
１０    人工芝
１１  研磨板
１１ａ  終端
１１ｂ  始端
１２    段差部
１３    段差部
【図１】
0003559616.tif 000002
【図２】
0003559616.tif 000003
【図３】
0003559616.tif 000004
【図４】
0003559616.tif 000005
【図５】
0003559616.tif 000006
【図６】
0003559616.tif 000007
【図７】
0003559616.tif 000008
【図８】
0003559616.tif 000009
【図９】
0003559616.tif 000010
【図１０】
0003559616.tif 000011